(57)【要約】【課題】ネブライザキャビネットを用いて薬液噴霧の吸入を行う患者にとって、治療時間を長く感じさせないようにすることを目的とする。【解決手段】本発明は、上記課題の解決手段として、キャビネット本体内部に薬液収容部を設けた噴霧装置を内蔵し、一端側が前記噴霧装置に接続され、他端側が薬液を患者に噴霧する噴霧部に接続されている薬液吐出用ホースを備え、加圧空気を前記噴霧装置内に導入し、前記薬液収容部内の薬液と混合して噴霧状態にして噴霧するネブライザキャビネットにおいて、前記ネブライザキャビネットの正面に設けられ、薬液の噴霧時間、静止画及び動画のうち少なくとも１つを表示する表示部を備えたことを特徴とするネブライザキャビネットを提供するものである。 【選択図】図１
2009011669.tif 000002
【特許請求の範囲】
【請求項１】
キャビネット本体内部に薬液収容部を設けた噴霧装置を内蔵し、一端側が前記噴霧装置に接続され、他端側が薬液を患者に噴霧する噴霧部に接続されている薬液吐出用ホースを備え、加圧空気を前記噴霧装置内に導入し、前記薬液収容部内の薬液と混合して噴霧状態にして噴霧するネブライザキャビネットにおいて、
前記ネブライザキャビネットの正面に設けられ、薬液の噴霧時間、静止画及び動画のうち少なくとも１つを表示する表示部を備えたことを特徴とするネブライザキャビネット。
【発明の詳細な説明】
【技術分野】
【０００１】
本発明は、耳鼻咽喉科の治療の際に患者に薬液を噴霧するネブライザキャビネットに関する。
【背景技術】
【０００２】
従来より、耳鼻咽喉科などの治療においては、加圧空気源からの加圧空気によって薬液霧を患者の咽頭や鼻腔に吸入させるネブライザキャビネットが用いられていた。薬液の噴霧時間は治療内容により若干異なるが、平均的には３〜５分程度である。患者はその３〜５分程度の間中、噴霧された薬液を吸入している必要があったが、その間は何もすることがなく、ただじっと座っておくだけであった。
【０００３】
その後、患者の正面に噴霧の残時間を示すタイマーが設けられるようになり、患者は薬液の噴霧に残りどれくらいの時間が掛かるのかを認識できるようになったが、タイマーの表示が減ってくるのを見て過ごす以外、ただじっと座っておくだけであり退屈であった。特に患者が子どもの場合、じっと座っておくことができずに途中でネブライザキャビネットの正面から離れてしまい、適切な薬液の吸入が妨げられる場合があった。
【０００４】
ネブライザキャビネットの機能に関しては、特許文献１のように様々な改良がなされてきた。特許文献１に記載のネブライザ装置は、連結保持具板と噴霧装置保持片のいずれか一方を可動自在に設けるとともに、連結保持板と噴霧装置保持片との相互の間を接近させるためのばねを設けることを特徴とする。また、医療機関の施設自体に関する改善のため、例えば特許文献２のように、医療機関内に配設されたモニタにネットワークを介して放映スケジュールにしたがって放映番組を送信し、医療サービスを受ける者の待ち時間を短縮し、医療サービスの質を向上させることのできるシステムが提案されている。しかし、これら特許文献を含む従来の技術においては、ネブライザキャビネットが使用されている最中に患者が受ける負担を軽減する点については、考慮されていなかった。
【０００５】
【特許文献１】特開２００１−３２１４４２
【特許文献２】特開２００２−０６４４５３
【発明の開示】
【発明が解決しようとする課題】
【０００６】
そこで本願発明は、上記の事情を鑑みなされたもので、患者が薬液噴霧の吸入を行っている間に、装置に設けられた表示部により、薬液の噴霧残時間、静止画及び動画のうち少なくとも１つ、例えば医療情報やその他の映像を流すことによって、薬液噴霧の吸入を行う患者にとって治療時間を長く感じさせないようにすることを目的とする。
【課題を解決するための手段】
【０００７】
本発明は、上記課題の解決手段として、キャビネット本体内部に薬液収容部を設けた噴霧装置を内蔵し、一端側が前記噴霧装置に接続され、他端側が薬液を患者に噴霧する噴霧部に接続されている薬液吐出用ホースを備え、加圧空気を前記噴霧装置内に導入し、前記薬液収容部内の薬液と混合して噴霧状態にして噴霧するネブライザキャビネットにおいて、前記ネブライザキャビネットの正面に設けられ、薬液の噴霧時間、静止画及び動画のうち少なくとも１つを表示する表示部を備えたことを特徴とするネブライザキャビネットを提供するものである。
【０００８】
本発明にかかるネブライザキャビネットは、その正面、すなわち患者が正対する位置に、表示部を設ける。その表示部、例えば液晶ディスプレイには、薬液の噴霧時間または噴霧時間の残量を表示したり、医療情報その他の映像を静止画や動画で表示したりすることができる。
【発明の効果】
【０００９】
本発明にかかるネブライザキャビネットによれば、患者が、ネブライザ装置で薬液の噴霧を受けている際に、薬液の噴霧時間または噴霧時間の残量が表示されるため、従来のタイマーに比べて見易い情報を視覚的に知ることができ、術者にとっても患者にとっても分かり易い。また、同じ表示部を利用して、静止画や動画を表示することもでき、その場合患者は、３〜５分間の時間を有意義に過ごすことができる。表示する映像等は、年代によって選択することができる。例えば、患者が子どもの場合には動物の映像やアニメを流し、患者が大人の場合には予防方法や治療方法などの医療情報を流すようにすることができる。このような構成にすれば、子供にとっては好きな映像を放映してもらうことによって、３〜５分間じっと座っていることができるだけでなく、大人にとっても予防方法や治療方法等を知ることができ、再発防止等の啓蒙が効果的に行える。
【発明を実施するための最良の形態】
【００１０】
以下に、本発明の実施の形態について図とともに説明する。
図１は、本発明のネブライザキャビネットの一例を示す図である。図２は、薬液吐出口にアダプタを介してホースが接続されている一例を示す図である。
【００１１】
図１に示すネブライザキャビネット１は、その内部に噴霧装置２を内蔵している。噴霧装置２は、薬液収容部（不図示）を備え、該薬液収容部に収容された薬液と加圧空気とを混合して霧状にし、薬液吐出口３から薬液を噴霧する。加圧空気は、診療室の外または内に設けられたエアコンプレッサ等によって噴霧装置２に所定の圧力で供給される。また、ネブライザキャビネット１は、表示部４と操作パネル５とを備えるが、これら表示部４及び操作パネル５については後述する。
【００１２】
ネブライザキャビネット１は、その正面に位置した薬液の吸入を必要とする患者の鼻や喉に薬液を噴霧するため、アダプタ６、薬液吐出用ホース７、及び噴霧部マスク８を備える。図２に示すとおり、アダプタ６は薬液吐出口３とホース７とを接続しており、噴霧される薬液は、薬液吐出口４からアダプタ６を経由してホース７へ流れ、最終的に吸入を行う患者の鼻腔及び口腔へ流入するよう噴霧部マスク８から噴霧される。
【００１３】
上記構成により、ネブライザキャビネット１は、その正面に据えられた椅子（不図示）に座るなどの方法で位置づけられた患者が、霧状の薬液を吸入することを可能にする。この薬液の吸入時間は、治療内容により若干異なるが、平均的には３〜５分程度である。患者はその３〜５分程度の間、ネブライザキャビネット１の正面でじっと座っている必要があるが、この３〜５分程度の間に、表示部４に表示される薬液噴霧時間の残量を見たり、静止画または動画の放映を鑑賞したりすることができる。
【００１４】
表示部４では、患者に合わせて、あるいは噴霧時間に合わせて、様々な表示を行うことができる。
【００１５】
例えば薬液噴霧時間あるいは薬液噴霧時間の残量を表示部４で表示すれば、薬液の吸入を行う患者は、自分が行う吸入にどれだけの時間がかかるのか、またはあとどれだけの時間で吸入を終えることができるのかを、視覚的に確認することができる。この薬液噴霧時間あるいは薬液噴霧時間の残量を表示部４に表示するにあたっては、単に数値を表示してもよいし、バーグラフや円グラフなどの模式図で表示してもよい。また、砂時計の画像を表示することで薬液噴霧時間の残量を視覚的に表示することもできる。
【００１６】
また、表示部４では、様々な静止画や動画を表示してもよい。ここで、例えば患者が子どもの場合には、動物の映像やアニメを流し、患者が大人の場合には予防方法や治療方法などの医療情報を流すようにすることができる。このような構成にすれば、子供にとっては好きな映像を放映してもらうことによって、３〜５分間じっと座っていることができるだけでなく、大人にとっても予防方法や治療方法等を知ることができ、再発防止等の啓蒙が効果的に行える。表示部４はさらにスピーカ（不図示）を備えることができ、静止画や動画と共に音響、音声、音楽等を流すようにしてもよい。また、１台のネブライザキャビネット１に表示部４が複数設けられる場合、それら複数の表示部４が同時に同じ表示を行ってもよいし、異なる表示を行うよう構成してもよい。
【００１７】
表示部４に表示される画像や音響等のデータは、診療所内のデータ伝送ネットワークを利用して外部記憶装置からネブライザキャビネット１に送信されるようにしてもよい。また、ネブライザキャビネット１に内蔵されたビデオ再生機やＤＶＤ再生機より取り出す、あるいはネブライザキャビネット１に内蔵されたデータディスクに保存しておく、といった形態としてもよい。
【００１８】
表示部４の近傍に設けられた操作パネル５では、表示部４の動作のＯＮ／ＯＦＦを切り替えたり、ネブライザキャビネット１が保有する複数の画像から表示部４に表示する画像を選択したり、音量を調節したりする、というように、術者や患者が適宜表示部４の表示を操作することができ、各所望の操作態様に応じて、操作パネル５に操作スイッチ等を設ければよい。図１ではネブライザキャビネット１に操作パネル５を内蔵させているが、ネブライザキャビネット１と別体のリモートコントローラに操作パネル５の機能を設けてもよい。また、図１のように各表示部４に操作パネル５を設けてもよいし、操作パネルを一つとして複数の表示部４の動作を集中管理する形態としてもよい。
【００１９】
以上のとおり、ネブライザキャビネット１の表示部４は、薬液噴霧時間、静止画及び動画のうち少なくとも１つを表示することができるが、もちろん薬液噴霧時間と静止画を同時に、あるいは薬液噴霧時間と動画を同時に表示してもよいし、それらのいずれか１つを表示するよう切り替えてもよい。また、図１の机型のネブライザキャビネット１を基に本発明の実施の形態を説明したが、本発明はこの机型のネブライザキャビネットに限らず、例えば箪笥のような形状のものであっても、薬液の吸入を行う患者の正面に表示部４が位置する構成を採りうるものであればよい。
【図面の簡単な説明】
【００２０】
【図１】本発明のネブライザキャビネットの一例を示す図である。
【図２】薬液吐出口にアダプタを介してホースが接続されている一例を示す図である。
【符号の説明】
【００２１】
１  ネブライザキャビネット，２  噴霧装置，３  薬液吐出口，４  表示部，５  操作パネル，６  アダプタ，７  薬液吐出用ホース，８  噴霧部マスク
【図１】
2009011669.tif 000003
【図２】
2009011669.tif 000004